(57)【要約】【課題】粘着剤層付き使い捨て便座シートのロール巻き製品及び携帯用の粘着剤層付き使い捨て便座シートの安価な製造方法を提供するとともに、粘着剤層の印刷面を便座シートの便座面への安定固定とともに、商品の宣伝広告媒体として活用する。【解決手段】印刷工程で弱粘着性粘着剤層が印刷された帯状転写用シートの弱粘着性粘着剤層を同寸の帯状便座シート用紙に転写して、転写後、帯状便座用紙にミシン目を入れて芯材に巻き取り、これを、便座シートの幅毎に分断して、便座シートのロール巻き製品とし、次いで同様の手法によって、２枚の帯状便座用紙の弱粘着剤層の側を合わせて積層した２層構造の便座シートのロール巻き製品を製造して、これを切り取り弱粘着剤層が露出しない携帯用便座シートを製造する。転写工程後剥離された帯状転写用シートは、印刷工程に循環使用する。【選択図】図１
2012245232.tif 000002
【特許請求の範囲】
【請求項１】
下記工程よりなる粘着剤層付き使い捨て便座シートのロール巻き製品の製造方法。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
第四工程  第三工程で図形又は文字の弱粘着性粘着剤層が転写された帯状便座用紙に便座シートの長さの間隔毎に切断用ミシン目を入れる工程後、これを芯材に巻き取って帯状便座用紙のロール巻きを形成する。
第五工程  第四工程で巻き取られた帯状便座用紙のロール巻きの幅が便座シートの幅より大きい場合は、便座シートの幅単位に合わせて帯状便座用紙のロール巻きを切断して、便座シートのロール巻き製品とする。
循環工程  第三工程から排出される帯状転写用シートを巻き取って帯状転写用シートのロール巻きとし、これを第一工程の帯状転写用シートのロール巻きとして循環使用する。
【請求項２】
弱粘着性粘着剤層が着色されている請求項１記載の粘着剤層付き使い捨て便座シートのロール巻き製品の製造方法。
【請求項３】
印刷方式が多色刷りである請求項２記載の粘着剤層付き使い捨て便座シートのロール巻き製品の製造方法。
【請求項４】
第四工程の便座シートの長さの間隔毎にミシン目を入れる工程を、便座シート１枚の長さの円周を有するロールであって、帯状便座シート用紙の移動速度と同調して回転するミシン目の刃先を植えたロールによって行う請求項１〜３のいずれか記載の粘着剤層付き使い捨て便座シートのロール巻き製品の製造方法。
【請求項５】
下記工程よりなる粘着剤層付き使い捨て便座シートのロール巻き製品の製造方法。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
重合工程  第三工程で図形又は文字の弱粘着性粘着剤層が転写された帯状便座用紙を、弱粘着性粘着剤層側を内側にして重合して、帯状２層積層体とする。
第四工程  重合工程で重合された２層積層体に便座シートの長さの間隔毎にミシン目を入れる工程後、これを芯材に巻き取って帯状便座用紙のロール巻きを形成する。
第五工程  第四工程で巻き取られた帯状便座用紙のロール巻きの幅が便座シートの幅より大きい場合は、便座シートの幅単位に合わせて帯状便座用紙のロール巻きを切断して、便座シートのロール巻き製品とする。
循環工程  第三工程から排出される帯状転写用シートを巻き取って帯状転写用シートのロール巻きとし、これを第一工程の帯状転写用シートのロール巻きとして循環使用する。
【請求項６】
下記工程よりなる粘着剤層付き使い捨て便座シートのロール巻き製品の製造方法。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
重合工程  第三工程で図形又は文字の弱粘着性粘着剤層が転写された帯状便座用紙を、弱粘着性粘着剤層側を内側にして半折重合して、帯状２層積層体とする。
第四工程  重合工程で重合された帯状２層積層体に便座シートの長さの間隔毎の切断用ミシン目及び半折折り目に打ち抜きミシン目を入れる工程後、これを芯材に巻き取って帯状便座用紙のロール巻きを形成する。
循環工程  第三工程から排出される帯状転写用シートを巻き取って帯状転写用シートのロール巻きとし、これを第一工程の帯状転写用シートのロール巻きとして循環使用する。
【請求項７】
第一工程の図形又は文字の弱粘着性粘着剤層の印刷模様が、重合工程において、弱粘着性粘着剤層側を内側にして重合したときに、互いに重ならないような印刷模様である請求項５又は６記載の粘着剤層付き使い捨て便座シートのロール巻き製品の製造方法。
【請求項８】
請求項５〜７のいずれか記載の製造方法で製造した粘着剤層付き使い捨て便座シートのロール巻き製品から、帯状の積層粘着剤層付き使い捨て便座シートを引き出して、切断用ミシン目の位置で切り離して、１又は複数単位の便座シートを切り離してこれを折り畳むことを特徴とする携帯用便座シートの製造方法。
【請求項９】
重合方法として半折重合を採用し、半折前の帯状便座用紙の印刷工程において、半折重合において、弱粘着層が重ならないように印刷する請求項８記載の携帯用便座シートの製造方法。
【発明の詳細な説明】
【技術分野】
【０００１】
本発明は、洋式トイレの便座シートに使用される帯状粘着剤層付き使い捨て便座シートのロール巻き製品の製造方法及び携帯用粘着剤層付き使い捨て便座シートの製造方法に関する。
【背景技術】
【０００２】
近年、洋式トイレの普及に伴い、一般家庭以外に、ホテル、デパート、病院、ビジネスビル等の公共施設で洋式トイレの便座が多く使用されるようになっている。公共の洋式トイレでは、他人の使用した便座に直接肌が触れる不潔感があり、この不潔感を解消することは広く望まれている。
現在、一部の公共トイレでは、便座に直接肌が触れる不潔感を防止するため、薄い紙製等のシートを敷くことが行われている。また、同一の目的で、殺菌液を含浸させたシート又は殺菌剤スプレーを設置して、これによって、便座表面を消毒殺菌することも行われている。また、これらのいずれの設備もない公共の洋式トイレも多数存在する。
便座シートを用意している洋式トイレの場合は、便座シートは、使用後は水に流して使い捨てできるので、簡便かつ衛生的であり、不特定多数の人が利用する公共施設の洋式トイレで用いられている。
この場合は、便座シートは、洋式トイレに設置されている場合は、多数の便座シートを枚葉式に重ねて、１枚ずつ、トイレ使用者が取り出して、便座において使用する。
しかし、薄い便座シートを、細長い便座の上に載置する操作が困難な上、載置後便座から直ぐにズレ落ちるので、円滑に便座シートを使用することは極めて困難となる。
そこで、便座シートの裏に、粘着剤を塗布して便座シートの載置を安定させる方法を採用すると、今度は、便座の表面に糊残りが発生して、これに汚れが付着して便座表面が汚れ、不潔感が増大する。
次に、殺菌液を含浸させたシートを用意している洋式トイレの場合は、殺菌をしても、他人の使用した便座表面に直接触れる不潔感は残るため、不潔感防止の観点からは、便座シートを用いる方が使用者に好まれている。
また、公共施設の洋式トイレに便座シート又は殺菌シートの設置がない場合には、使用者は、トイレットペーパーを便座の上に載置して、便座と直接接触するのを防止している。
この場合のトイレットペーパーの便座表面への載置は、極めて困難である。このような場合に備えて、携帯用の殺菌剤スプレーが市販されている。しかし、携帯用便座シートは、普及していない。
一般に、公共施設の洋式トイレに設置される便座シートは、無償で供給される。
一方、同じく、公共施設の洋式トイレに無償で供給されるトイレットペーパーの一部には、最近、コマーシャル印刷が施工されるものが普及している。しかし、トイレットペーパーは、凹凸表面がある柔らか材質に制限され、また、鮮明な印刷面が肌に触れることは不快感を発生させるので、鮮明な印刷模様を印字することは困難であるとともに、感覚的に好まれない。また、現時点では、公共施設の便座シートには、コマーシャル印刷されたものは用いられていない。
現在使用されている使い捨て便座シートには、略長方形の薄いシートの中央部を抜きとり、長方形シートを便座に被せて使用する幅広の穴あきタイプと細幅シートの短冊型タイプがあり（特許文献１）、両者とも薄い紙製であるために、空気中をふわふわと吹き上がるので、便座に正確に載置することは困難である。特に、短冊型のタイプの場合は、便座の湾曲に沿って載置することが難しい上に、ちょっとした空気の流れによっても、便座から滑り落ちて、便座の表面に安定に載置することは不可能に近い。
短冊型のタイプの便座シートが便座からズレ落ちるのを防止するために便座との接触面に粘着剤を塗布したものがある（特許文献２）。
この便座シートは、１枚単位で、分離したものであって、トイレットペーパーのロール巻きのように、帯状便座シートから１枚ずつ切り取って使用する形態ではなく、接着剤の塗布部分が偏在して、便座シート全面を均等に便座に固定していないので、安定性が悪い欠点があった。該便座シートを、仮にロール巻き方式にすれば、粘着剤がロール巻きの便座シートを接着するので、円滑な便座シートの引き出しに支障を来す。
また、トイレットペーパー兼用の便座カバーが開示されている（特許文献３）。この便座カバーは、帯状便座カバーとトイレットペーパーを兼用する発明であるが、トイレットペーパーとしての使用が多い場合には、便座シートとしての接着剤層の形成が無駄になる上に、トイレットペーパーとして使用する場合に、粘着剤層の存在が不快感をもたらす。そして、接着剤の塗布部分が偏在しているので、便座シートへの固定の安定性が悪い。そして、粘着剤層及び剥離層の塗布及びその位置合わせに相当の困難が伴う欠点がある。また、ミシン目の位置の設定も困難である。
一方、幅広の長方形シートの便座シートの場合は、短冊型より便座に乗せ易いが、この場合も、便座表面が滑り易く、便座シートがずれて、便座表面が肌に接触する。
【先行技術文献】
【特許文献】
【０００３】
【特許文献１】登録実用新案第３００７６０３号公報
【特許文献２】実開平７−２０９９５号公報
【特許文献３】実開平５−９１４９８号公報
【発明の概要】
【発明が解決しようとする課題】
【０００４】
本発明の目的は、便座からはズレ落ちるのを防止するために、便座に接触する面に粘着剤を塗布した粘着剤層付き使い捨て便座シートであって、使用者が切り取って簡単に使用できるロール巻き状態の帯状便座シートにおいて、使用前のロール巻き状態で互いに強く接着することがなく、かつ使用にあたっては、使用分の一単位の便座シートを切り取って便座に載置したとき安定に載置できて、使用後は便座シートの粘着剤が便座上に糊残りしない便座シートを安価に製造できる製造方法を提供することにある。
さらに、携帯に便利な携帯用便座シートを安価に製造できる製造方法を提供することを目的とする。
【課題を解決するための手段】
【０００５】
本発明の課題である使用前のロール巻き状態で帯状便座シートが互いに強く接着して引き出せなくなることを防止するため、さらに、使用後の便座面の糊残り防止のために、弱粘着性粘着剤層を採用した。
そして、便座に載置したとき便座シートが不安定なのは、便座シートの裏面の粘着剤層の位置が部分的で、偏在している点にあることに着目して、弱粘着性粘着剤層を便座シートの全面に、バランスよく設ければ良いことを見出した。そして、帯状の便座シートの全面に、バランスよく弱粘着性粘着剤層を設けるには、複雑な図形及び文字が印刷できる印刷方式で弱粘着性粘着剤を印刷インキ代わりに用いて、帯状転写用シート面にバランス良く弱粘着性粘着剤層を形成して、次いで、該帯状転写用シートの弱粘着性粘着剤層を、帯状便座シート用紙に転写する方式が、帯状転写用シートは、何度でも循環使用できるので余分な材料費は掛からないので、最適の方法であることに着目して、本発明を完成した。
すなわち、本発明は、下記の態様がある。
（１）下記工程よりなる粘着剤層付き使い捨て便座シートのロール巻き製品の製造方法。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
第四工程  第三工程で図形又は文字の弱粘着性粘着剤層が転写された帯状便座用紙に便座シートの長さの間隔毎に切断用ミシン目を入れる工程後、これを芯材に巻き取って帯状便座用紙のロール巻きを形成する。
第五工程  第四工程で巻き取られた帯状便座用紙のロール巻きの幅が便座シートの幅より大きい場合は、便座シートの幅単位に合わせて帯状便座用紙のロール巻きを切断して、便座シートのロール巻き製品とする。
循環工程  第三工程から排出される帯状転写用シートを巻き取って帯状転写用シートのロール巻きとし、これを第一工程の帯状転写用シートのロール巻きとして循環使用する。
（２）弱粘着性粘着剤層が着色されている第１項記載の粘着剤層付き使い捨て便座シートのロール巻き製品の製造方法。
（３）印刷方式が多色刷りである第２項記載の粘着剤層付き使い捨て便座シートのロール巻き製品の製造方法。
（４）第四工程の便座シートの長さの間隔毎にミシン目を入れる工程を、便座シート１枚の長さの円周を有するロールであって、帯状便座シート用紙の移動速度と同調して回転するミシン目の刃先を植えたロールによって行う第１項〜第３項のいずれか記載の粘着剤層付き使い捨て便座シートのロール巻き製品の製造方法。
（５）下記工程よりなる粘着剤層付き使い捨て便座シートのロール巻き製品の製造方法。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
重合工程  第三工程で図形又は文字の弱粘着性粘着剤層が転写された帯状便座用紙を、弱粘着性粘着剤層側を内側にして重合して、帯状２層積層体とする。
第四工程  重合工程で重合された２層積層体に便座シートの長さの間隔毎にミシン目を入れる工程後、これを芯材に巻き取って帯状便座用紙のロール巻きを形成する。
第五工程  第四工程で巻き取られた帯状便座用紙のロール巻きの幅が便座シートの幅より大きい場合は、便座シートの幅単位に合わせて帯状便座用紙のロール巻きを切断して、便座シートのロール巻き製品とする。
循環工程  第三工程から排出される帯状転写用シートを巻き取って帯状転写用シートのロール巻きとし、これを第一工程の帯状転写用シートのロール巻きとして循環使用する。
（６）下記工程よりなる粘着剤層付き使い捨て便座シートのロール巻き製品の製造方法。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
重合工程  第三工程で図形又は文字の弱粘着性粘着剤層が転写された帯状便座用紙を、弱粘着性粘着剤層側を内側にして半折重合して、帯状２層積層体とする。
第四工程  重合工程で重合された帯状２層積層体に便座シートの長さの間隔毎の切断用ミシン目及び半折折り目に打ち抜きミシン目を入れる工程後、これを芯材に巻き取って帯状便座用紙のロール巻きを形成する。
循環工程  第三工程から排出される帯状転写用シートを巻き取って帯状転写用シートのロール巻きとし、これを第一工程の帯状転写用シートのロール巻きとして循環使用する。
（７）第一工程の図形又は文字の弱粘着性粘着剤層の印刷模様が、重合工程において、弱粘着性粘着剤層側を内側にして重合したときに、互いに重ならないような印刷模様である第５項又は第６項記載の粘着剤層付き使い捨て便座シートのロール巻き製品の製造方法。
（８）第５項〜第７項のいずれか記載の製造方法で製造した粘着剤層付き使い捨て便座シートのロール巻き製品から、帯状の積層粘着剤層付き使い捨て便座シートを引き出して、切断用ミシン目の位置で切り離して、１又は複数単位の便座シートを切り離してこれを折り畳むことを特徴とする携帯用便座シートの製造方法。
（９）重合方法として半折重合を採用し、半折前の帯状便座用紙の印刷工程において、半折重合において、弱粘着層が重ならないように印刷する第８項記載の携帯用便座シートの製造方法。
【発明の効果】
【０００６】
（１）弱粘着性粘着剤層の使用によって、便座シートを便座に載置したとき、空気の流れ又は軽い接触で、便座シートが便座から落下若しくは、ずれることを防ぐとともに、便座への糊残り防止及び使用前のロール巻き状態で帯状便座シートが互いに強く接着することを防止できる。
（２）帯状転写用シートに印刷方式で形成した弱粘着性粘着剤層を、帯状転写用シートと同寸の帯状便座シートに転写する方式によって、複雑な形状若しくは色彩の図形及び文字の弱粘着性粘着剤層を、便座シートの裏面にバランス良く均等に形成できる。帯状便座シートに、粘着剤を直接連続的に塗布する場合は、長手方向に平行な線状の粘着剤層が塗布できるが、複雑な形状の接着剤層を形成することはできない。
（３）複雑な形状若しくは色彩の図形及び文字の弱粘着性粘着剤層を、便座シートの全面に設けることができるので、商品の宣伝広告の図形又は文字の印刷をすることができる。
既に、トイレットペーパーでは、淡色の印刷広告が採用されているが、トイレットペーパーの場合は、直接肌に接触させて使用する関係から、シートの材質に制限を受けて鮮明な印刷は使用できないが、便座シートの場合は、便座に貼り付けて使用するものであるので、広告の色彩図形及び印刷面積に制限無く使用できる利点がある。
この利点は、コマーシャル収入を得る利点につながる。
（４）本発明製造方法では、帯状便座シート用紙と同寸の帯状転写用シートを使用するが、この帯状転写用シートは、帯状便座シート用紙の印刷のための工程シートであって、そのままの形状で何回も循環使用できるので、余分な副材料費用は懸からない。
（５）本発明の積層帯状便座用紙の製造方法によって、粘着剤付便座シートを、携帯用にすることを可能にできる。これによって、便座シートの供給設備又は便座クリーナーがない公共トイレにおいて、快適に便座を使用することができる。
（６）本発明の積層帯状便座用紙の製造方法によって、幅広の便座シートを、半折ロール巻きにして、トイレットペーパーと同様に、ロール巻き方式の取り出し器具を用いることができる。
【図面の簡単な説明】
【０００７】
【図１】本発明製造方法の第一工程及び第二工程の一実施例の態様を示す工程図。
【図２】本発明製造方法の第三工程及び第四工程の一実施例の態様を示す工程図。
【図３】本発明の積層帯状便座用紙の段違い印刷模様の位置関係を示す図。
【図４】本発明の積層帯状便座用紙の列状印刷模様の位置関係を示す図。
【図５】本発明の幅広便座シートの製造方法に用いるミシン目の形状を示す図。
【図６】本発明で製造された幅広便座シートの平面図。
【図７】本発明で製造された携帯用便座シートの平面図及び展開図。
【発明を実施するための形態】
【０００８】
本発明製造方法の第一工程及びこれに連続する第二工程は、図１に例示する本発明実施例の態様によって実施することができる。
図１のロール巻き帯状転写用シート１から引き出された透明ポリエステルフィルムを基材とする帯状転写用シートＢは、グラビヤロール２とガイドロール３において３列の広告宣伝文字「ＡＢＣテレビ」と弱粘着性粘着剤８をインキとして印刷され、ロール移送によって、乾燥ゾーン４に移送され乾燥して、第一工程の帯状転写用シートＢの連続的印刷工程が終了する。
次いで、帯状便座用紙Ａを帯状便座用紙のロール巻き７から連続的に引き出して、これを、第一工程から出る弱粘着性粘着剤層が印刷された帯状転写用シートＢの粘着剤層の印刷面側に積層して、二つの貼り合わせロール５（ゴム製）及び貼り合わせロール６（スチレン製）によって連続的に圧着して、帯状便座用紙Ａと帯状転写用シートＢの積層体９を作成する。図１の積層体９の裏面からは、帯状転写用シートＢが透明であるので、広告宣伝文字「ＡＢＣテレビ」が、そのまま見ることができる。
図１の広告宣伝文字「ＡＢＣテレビ」は、グラビヤ印刷によって、３列の「ＡＢＣテレビ」の文字が繰り返し反復して、一定間隔でパターン印刷されている。３列の広告宣伝文字「ＡＢＣテレビ」は、最終工程で、ロール巻きを３分割されるので、最終製品には、１列の広告宣伝文字「ＡＢＣテレビ」のみとなる。そして、広告宣伝文字「ＡＢＣテレビ」の文字の長さは、実際の使い捨て便座シートの長さの半分にしてあるので、帯状便座シートから切り取った便座シート１枚分の長さの範囲には、必ず、完全に連続している広告宣伝文字「ＡＢＣテレビ」の文字を読み取ることができる。
また、広告宣伝文字の長さと便座シート１枚分の長さを一致させたいときは、設備費用が嵩むが、ミシン目入れを、印刷模様と同期させるセンサーを取り付けることができる。
広告宣伝文字「ＡＢＣテレビ」の文字の長さを、便座シートの長さの半分以下にすることによって、便座シート１枚分の長さの範囲に、完全に連続している広告宣伝文字を表示することができる。
そして、図１に示すように、広告宣伝文字「ＡＢＣテレビ」と、次の広告宣伝文字「ＡＢＣテレビ」間の間隔が狭いので、１枚の使い捨て便座シートの全面に、バランス良く、宣伝文字の弱粘着性粘着剤層が分布している。
【０００９】
本発明製造方法の第一工程に用いる帯状転写用シートＢとしては、公知の離型用シートを特に制限無く使用でき、例えば、離型剤を基材シートに塗布したもの、具体的には、シリコン系剥離剤を、ポリエステルフィルムに塗布した汎用の離型フィルム等を、好適に使用することができる。
本発明第一工程に用いる印刷方式は、公知の印刷方式を特に制限なく使用することができる。特に、グラビヤ印刷方式が粘着物質をインキとして印刷する場合に好適である。
本発明に用いる帯状便座シート用紙の材質は、水洗トイレに流して、水洗が閉塞するおそれがないものであれば、特に制限無く使用することができる。
例えば、水流で掲示用が崩れないボール紙、アート紙等は帯状便座シート用紙の材質として用いることはできないが、水流でシート形状が崩れるティッシュペーパー、トイレットペーパーのような薄紙又は繊維間の接着力が水中で弱くなる天然繊維又は合成繊維の不織布を好適に用いることができる。また、便座シートの場合は、水解性さえあればよく、トイレットペーパーのような極度の柔軟性と凹凸面（印刷性が悪い）は要求されないので、トイレットペーパーの場合より印刷特性が良好な材質のシートを採用することができる。
また、印刷模様を、例えば、広告宣伝文字とする場合には、便座シートは、透明又は半透明である方が、便座に載置したときに、広告宣伝文字が良く見えるので好ましい。
第一工程で印刷インキとして用いる弱粘着性粘着剤は、粘着性物質であって、該物質の溶液を印刷方式のインキとして用いることができる粘着性物質であれば、何でも使用することができる。
【００１０】
具体的には、まず、市販の弱粘着性粘着剤をそのまま用いることができる以外に、例えば、印刷インキのビヒクルに増粘剤（例えば、メチルセルロース系又はエチルセルロース系増粘剤、特に、カチオン系セルロース系増粘剤、ヒドロキシプロピルメチルセルロース等）を添加して、印刷面の粘着力を増加したもの、または、逆に、市販の粘着剤に、粘着力を低下させる物質、例えば、無機微粒子（シリカ、酸化チタン等）又はワックス等の粘着低減剤を配合して弱粘着性粘着剤にすることができる。本発明の弱粘着性粘着剤層の粘着力は、増粘剤又は粘着低減剤の添加量を増減すれば、適宜調節することができる。また、粘着剤の粘着力は、粘着剤層の厚さを増減することによっても調節できる。
また、弱粘着性粘着剤層を着色印刷に刷る場合は、弱粘着性粘着剤に着色剤を配合することもできるが、所望の色の印刷インキに増粘剤を配合するのが簡便である。
【００１１】
本発明便座シートの場合は、便座が平滑表面であるので、便座シートを便座面から剥がした場合には、凹凸面があり粘着剤との接着力が大きい便座シート側に、全粘着剤層が付着するのが原則である。
しかし、粘着剤の被着体物との粘着力が大きい場合は、粘着剤層の内部剥離が起こって、便座の表面側に一部の粘着剤層が剥離して移行して糊残りとなる。糊残りは、着色粘着剤層の場合は、特に目立つ汚れとなる。しかし、粘着剤の粘着力が低い場合は、粘着剤層の内部剥離が起こらないので、弱粘着性粘着剤層は、全て、凹凸面がある便座シート側に付着して、便座表面に移行する糊残りは発生しない。
本発明第三工程では、図２に示すように、第二工程から排出された帯状便座用紙Ａと帯状転写用シートＢの積層体９が、ガイドロール１０を通過する時、帯状転写用シートＢが、帯状便座用紙Ａから連続的に剥がれて、帯状転写用シートＢに印刷された弱粘着性粘着剤層を、帯状便座用紙Ａの面にそっくり転写することができる。
そして、ガイドロール１０で分離された弱粘着性粘着剤層を有する帯状便座用紙Ａは、ミシン目ロール１１で、一定間隔の切断用ミシン目を形成してから、芯材１２の上にロール巻きにして、一定の直径のロール巻き帯状便座用紙を製造して、一定直径になったときに、芯材１２を交換して、順次同一の直径のロール巻き帯状便座用紙を製造することができる。ミシン目ロール１１の円周の長さは、使い捨て便座シートの１枚の長さと同一であるので、便座シートの１枚の長さの間隔毎に切断用ミシン目を設けることができる。
第四工程において、芯材１２に巻き取られた粘着剤付帯状便座用紙は、第五工程の切断工程において、芯材１２とともに、３分割に輪切りにされて、最終の粘着剤付便座シート製品にすることができる。
【００１２】
本発明の第五工程は、第四工程で巻き取られた帯状便座用紙のロール巻きの幅が便座シートの幅より大きい場合は、便座シートの幅単位に合わせて帯状便座用紙のロール巻きを切断して、便座シートのロール巻き製品とする工程である。図１の態様では、第四工程で巻き取られた帯状便座用紙のロール巻きの幅が、製品のロール巻きの幅の３倍であるので３分割している。
また、図１〜２の態様は作図上の簡便のため、３分割の態様を例示したが、使用する印刷機の印刷幅に合わせて可能な限り、多分割の製造方法にすることが製造効率の点から好ましい。すなわち、通常は、印刷機の印刷幅を、帯状便座用紙Ａの幅で割った数値に分割することになる。
また、第五工程は、第四工程で巻き取られた帯状便座用紙のロール巻きの幅が便座シートの幅より大きい場合のみに実行される工程であり、第四工程で巻き取られた帯状便座用紙のロール巻きの幅が製品便座シートの幅と同一の場合は、当然に省略される。
図２において、巻き取られた帯状転写用シートＢは、ロール巻き帯状転写用シート１として、第一工程に循環使用する。
【００１３】
本発明の別の態様の製造方法としては、帯状便座用紙を２層積層体とする製造方法がある。
当該製造方法は、前述の製造方法に、帯状便座用紙の重合工程が追加される製造方法である。
すなわち、当該製造方法は、前記（５）の態様の下記の工程からなる。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
重合工程  第三工程で図形又は文字の弱粘着性粘着剤層が転写された帯状便座用紙を、弱粘着性粘着剤層側を内側にして重合して、帯状２層積層体とする。
第四工程  重合工程で重合された２層積層体に便座シートの長さの間隔毎にミシン目を入れる工程後、これを芯材に巻き取って帯状便座用紙のロール巻きを形成する。
第五工程  第四工程で巻き取られた帯状便座用紙のロール巻きの幅が便座シートの幅より大きい場合は、便座シートの幅単位に合わせて帯状便座用紙のロール巻きを切断して、便座シートのロール巻き製品とする。
循環工程  第三工程から排出される帯状転写用シートを巻き取って帯状転写用シートのロール巻きとし、これを第一工程の帯状転写用シートのロール巻きとして循環使用する。
追加された重合工程において、帯状便座用紙を、弱粘着性粘着剤層側を内側にして重合するには、第三工程で弱粘着性粘着剤層が転写された帯状便座用紙を２枚用意して、これを連続的に貼り合わせる方法又は１枚の帯状便座用紙を、弱粘着性粘着剤層側を内側にして中心線に沿って半折する方法とがある。半折重合する場合は、重合工程は、連続半折工程となる。
そして、重合工程において、貼り合わせる帯状便座用紙の各１枚の幅が、便座シートの幅の例えば３倍の場合は、３列の便座シートの粘着剤層付帯状便座用紙を、弱粘着性粘着剤層側を内側にして重合する。そして、第五工程において、便座シートの幅単位に合わせて帯状便座用紙のロール巻きを切断して、便座シートのロール巻き製品とする。この際、半折重合を採用すれば、重合された積層体の弱粘着性粘着剤層の模様の周期が一致するので望ましい。また、模様の寸法が小さい場合は、積層の両面の模様の周期を同調させる必要はない。
弱粘着性粘着剤層側を内側にして中心線に沿って半折した場合は、第五工程において、便座シートの幅単位に合わせて帯状便座用紙のロール巻きを切断する際に、半折折り目を切断除去するのが望ましい。
【００１４】
本発明の２層積層の帯状便座用紙の製造方法においては、弱粘着性粘着剤層側を内側にして重ねられる。使用時に、２層積層の帯状便座用紙を引き出して、切断ミシン目で切り離して、２枚積層を剥がして、それぞれを左右便座の上に貼り付けて使用する。
しかし、弱粘着性粘着剤層の粘着力が強いと、弱粘着性粘着剤層が重なっている場合は２枚積層が剥がれ難くなる。この欠点を防止するために、図３及び図４にように、第一工程の図形又は文字の弱粘着性粘着剤層の印刷模様が、重合工程において、弱粘着性粘着剤層側を内側にして重合したときに、互いに重ならないような印刷模様にすることが好ましい。図３は、積層の下面帯状便座用紙シート（Ｃ）と上面帯状便座用紙シート（Ｄ）の広告文字が段違いになっているので、下面帯状便座用紙シート（Ｃ）と上面帯状便座用紙シート（Ｄ）の弱粘着性粘着剤層の印刷模様は重合工程で重ならない。しかし、図３の段違い模様の場合に、重ならないように模様を設けても、２枚の分離した帯状便座用紙を連続的に貼り合わせしていくと、模様の位置が次第にずれて、模様が重なることになる。これを防止するためには、重合工程に、２枚の帯状便座用紙の模様の流れを同調させるセンサーを設ける必要が生じる。しかし、図４のように、帯状便座用紙の縦方向の模様で、縦方向の印刷模様の間隔を印刷模様の幅と同一の幅以上を空けると、図４の片方の帯状シートを、他方に半折した場合に、互いに、印刷模様の列が相手方の印刷模様の列の間隔にちょうど入って、２枚の帯状便座用紙の流れがずれても、両者の印刷模様が重なることはない。
【００１５】
また、図４の態様は、両者の印刷模様は、縦方向の印刷模様の間隔を空けておけばよく、図４から分かるように片方を反転して重合すれば、同一の印刷模様が互いに相補的に嵌合するので、第一工程の印刷模様を、二種類用意する必要がないので好ましい。
図４のように、列の位置をずらした場合には、２枚の帯状便座用紙の模様が同調しなくても、弱粘着性粘着剤層が重なることはないので、センサーによる２枚の便座シートの同調手段は不要となる。
また、重合方法として、半折重合を採用すれば、図３のタイプの段違い模様であっても、半折前の帯状便座用紙の印刷工程において、２層積層の帯状便座用紙の弱粘着性粘着剤層の位置関係は確定しているので、確実に弱粘着性粘着剤層の模様は重ならない。
図３及び図４の宣伝文字の印刷模様「ＡＢＣテレビ」の態様は、簡明のために、下面帯状便座用紙シート（Ｃ）及び上面帯状便座用紙シート（Ｄ）のそれぞれの弱粘着性粘着剤層の印刷模様が便座シートの一個分の印刷模様を示したが、前述のように、印刷機の印刷幅一杯の印刷を行い、最後に便座シート一個幅に切断する場合は、下面帯状便座用紙シート（Ｃ）と上面帯状便座用紙シート（Ｄ）の弱粘着性粘着剤層の印刷模様をそれぞれ数列に印刷することになる。
【００１６】
本発明の第三の態様製造方法［（６）の態様］は、便座シートの中央に抜け穴を設けた幅広タイプの便座シートのためのロール巻き製品の製造方法である。
これは、切断用ミシン目工程に、抜け穴用のミシン目工程を施工したものである。
すなわち、下記工程よりなる製造方法である。
第一工程  帯状転写用シートのロール巻きから帯状転写用シートを引き出して、印刷方式で図形又は文字の弱粘着性粘着剤層を帯状転写用シートに連続的に印刷する。
第二工程  第一工程で得られた弱粘着性粘着剤層が印刷された帯状転写用シートを引き出して、帯状転写用シートの印刷面側に、帯状転写用シートと同幅の帯状便座用紙を積層して、該積層を貼り合わせロールによって連続的に圧着する。
第三工程  第二工程で積層された帯状転写用シートを、帯状便座用紙から連続的に剥がして、帯状転写用シートに印刷された弱粘着性粘着剤層を、帯状便座用紙面に転写する。
重合工程  第三工程で図形又は文字の弱粘着性粘着剤層が転写された帯状便座用紙を、弱粘着性粘着剤層側を内側にして半折重合して、帯状２層積層体とする。
第四工程  重合工程で重合された帯状２層積層体に便座シートの長さの間隔毎の切断用ミシン目及び半折折り目に打ち抜きミシン目を入れる工程後、これを芯材に巻き取って帯状便座用紙のロール巻きを形成する。
循環工程  第三工程から排出される帯状転写用シートを巻き取って帯状転写用シートのロール巻きとし、これを第一工程の帯状転写用シートのロール巻きとして循環使用する。
当該製造方法においては、半折折り目で、便座シートが半折りされるので、前述の製造方法における第５工程は行わない。
当該製造方法に用いる帯状転写用シート及び帯状便座用紙の幅は、便座の幅と同寸より少し大きくすると、重合積層された便座シートを広げたときに、便座表面を完全に覆うことができるので好ましい。
当該製造方法で製造した幅広タイプの便座シートのロール巻き製品は、半折重合されているので、トイレに設置したときに、設置場所の幅を取らない。既に設置されているトイレットペーパーのロール巻き保持器具のそばに、容易に設置することができる。
当該製造方法では、図５に示すように、第四工程において、半折重合の折り目部分に、打ち抜きミシン目を入れる工程に特徴がある。
【００１７】
便座シートの使用者は、半折された２層積層の帯状便座用紙のロール巻きから積層便座シートを引き出して、切断用ミシン目１３で、便座シートを切り離して、次いで、打ち抜きミシン目１４部分を破って、半月部分を便器に捨てて、積層を開くと、図６に示す長方形シートの中央に円形の穴が開いた便座シートとなる。この長方形シートを弱粘着性粘着剤層側を下に向けて便座に乗せると、便座シートは便座の上に安定した載置をすることができる。図６の便座シートは、半折重合工程であり、宣伝広告文字は左右段違いに印刷されている。
本発明の幅広タイプの便座シートの製造方法で製造された粘着剤層付き使い捨て便座シートのロール巻きは、トイレットペーパーのロール巻きと同様に、芯材を保持する器具によって、取り付けて使用することができる。しかも、半折しているので、芯材を保持する器具の設置場所をとらない。
【００１８】
本発明製造方法の態様として、さらに、携帯用の便座シートの製造方法がある。
すなわち、前述（８）の態様の製造方法であり、（５）〜（７）の態様の製造方法で製造した弱粘着層を内側にして重合された２層の便座シート積層体のロール巻き製品から、帯状の積層粘着剤層付き使い捨て便座シートを引き出して、１又は複数単位の便座シートの長さ毎に切断用ミシン目の位置で切り離して、これをコンパクトに折り畳んで、包装して、携帯用便座シートとする製造方法である。
（５）の態様の製造方法を採用した場合は、図７に示す一対の短冊型タイプの携帯用便座シートを製造することができる。図７の短冊型タイプの携帯用便座シートは、（５）の態様のロール巻き便座シートの２層積層体を製造後、これを引き出して便座シート単位で切り離して、数百枚の短冊型タイプの携帯用便座シートを重ねて、便座シートの弓型形状に裁断したものである。
この図７の短冊型タイプの携帯用便座シートは、（７）の態様によって、２枚の短冊型タイプの携帯用便座シート積層体の弱粘着剤層は重ならないように印刷されている。
図７（ａ）は、短冊タイプの積層携帯用便座シートの平面図であり、図７（ｂ）は、図７（ａ）の上層の便座シートを剥がして、展開した図である。図７（ｂ）の左側の便座シートの幅広の弱粘着剤層ｍ１は、２枚を重ねたときに、右側の便座シートの一対の弱粘着剤層ｎ１の間に積層され、弱粘着剤層ｍ１は、弱粘着剤層ｎ１に重なることはない。同様に、左側の一対のｍ２は、右のｎ２に重ならない。ｍ３とｎ３も同様に、重なることはない。そして、図７の弱粘着剤層の印刷は、重合工程を半折工程で施工することによって確実に左右の印刷模様を一致させることができる。すなわち、前述（９）の態様は、（７）の態様の重合工程を半折工程を採用して、携帯用便座シート積層体の弱粘着剤層が重ならないように印刷した製造方法である。
半折重合方法による重合であるので、左右便座用の模様は、一対の積層毎に同一模様とすることができる。
本発明の携帯用便座シートの製造方法は、弱粘着剤層が内側に積層されていて、積層相手側便座シートが、粘着剤層の保護シートとなっているので、携帯中に弱粘着剤層に塵埃が付着して粘着力が喪失することはない。そして、積層体は粘着剤層によって、固定されているが、弱粘着剤層であるので、積層便座シートを比較的容易に剥がすことができる。
しかし、弱粘着剤層の粘着力が少し大きいときは、重合工程において、互いの弱粘着剤層が重なると、携帯用便座シートの積層を剥がすのが、困難となる場合も生じる。
本発明の前述（６）の態様の製造方法を採用した場合は、幅広の便座シートのロール巻から１個単位の便座シートをミシン目で切り離して、これを折り畳んで、１枚毎に取り出せるように包装して、幅広携帯用便座シートとすることができる。そして、第１工程の印刷工程において、半折重合の時に、印刷模様が重ならないように印刷することによって、折り畳み状態で粘着剤層同士が接着しないようにすることができる。
また、携帯用便座シートとして、商品化する場合は、短冊型の便座シートを、多数枚重ねて、図７に示すような弓型形状に裁断すると、便座の左右形状に沿って載置できるので、好適である。
なお、携帯用便座シートは、宣伝用又は販売促進用の景品として無償で提供される以外は、原則として商品として販売される。有償で販売される携帯用便座シート又はコマーシャル宣伝を望まない場合がある。その場合には、当然ながら、図１、３、４、６の宣伝文字「ＡＢＣテレビ」の文字は、他の文字又は図形若しくは線形模様の粘着剤層に変更することができる。
【産業上の利用可能性】
【００１９】
本発明は、公共のトイレに設置する使い捨て便座シート及び携帯用便座シートの製造産業に利用することができるとともに、さらにまた、宣伝広告産業の宣伝媒体として、利用できる。
【符号の説明】
【００２０】
１  ロール巻き帯状転写用シート
２  グラビヤロール
３  ガイドロール
４  乾燥ゾーン
５  貼り合わせロール（ゴム製）
６  貼り合わせロール（スチレン製）
７  帯状便座用紙のロール巻き
８  弱粘着性粘着剤
９  帯状便座用紙と帯状転写用シートの積層体
１０  ガイドロール
１１  ミシン目ロール
１２  芯材
１３  切断用ミシン目
１４  打ち抜きミシン目
Ａ  帯状便座用紙
Ｂ  帯状転写用シート
（Ｃ）  下面帯状便座用紙シート
（Ｄ）  上面帯状便座用紙シート
【図１】
2012245232.tif 000003
【図２】
2012245232.tif 000004
【図３】
2012245232.tif 000005
【図４】
2012245232.tif 000006
【図５】
2012245232.tif 000007
【図６】
2012245232.tif 000008
【図７】
2012245232.tif 000009